(57)【要約】【課題】撮像装置の可動式表示部の収納に関して撮像装置のデザイン上の制約を低減する。【解決手段】デジタルカメラ１の背面１ａには収納部６が凹設されており、可動式モニタ２が背面１ａと面一または背面１ａから凹み略平坦となるように収納部６の内側に収納されている。可動式モニタ２は、収納部６に収納された収納位置と収納部６から退出したときの非収納位置との間を移動可能である。デジタルカメラ１は、所定の操作部材４が操作されたときや、デジタルカメラ１が所定の撮像モードのとき、デジタルカメラ１が所定の閾値以上傾斜した姿勢となったとき、所定の移動量だけ鉛直方向に移動したときなどに可動式モニタ２をポップアップさせると判定し、モニタ駆動部７を制御して可動式モニタ２をポップアップさせる。【選択図】図１
2013141158.tif 000002
【特許請求の範囲】
【請求項１】
撮像装置の背面に凹設される収納部と、
画像を表示し、前記撮像装置の背面と面一または前記撮像装置の背面から凹み略平坦となるように前記収納部の内側に収納され、前記収納部の内側に収納されたときの収納位置と前記収納部から退出したときの非収納位置との間を移動可能である表示部と、
前記表示部が前記収納部に収納されているときに、前記表示部を前記非収納位置に退出させるか否かを判定する判定手段と、
前記判定手段により前記表示部を前記非収納位置に退出させると判定されたときに前記収納位置から前記非収納位置へ向かって前記表示部を駆動する駆動手段と、
を備えることを特徴とする撮像装置。
【請求項２】
請求項１に記載の撮像装置において、
前記表示部が前記収納部に収納されているとき、前記画像を表示する表示面が前記収納部の底面に対向しているかまたは前記表示面の裏面が前記底面に対向しているかを検出する収納状態検出手段をさらに備え、
前記判定手段は、前記表示面が前記底面に対向していることを前記収納状態検出手段が検出したとき、前記表示部を前記非収納位置に退出させると判定することを特徴とする撮像装置。
【請求項３】
請求項１または２に記載の撮像装置において、
外付けビューファインダを接続可能な接続部と、
前記外付けビューファインダが前記接続部に接続されたことを検知する接続検知部と、をさらに備え、
前記判定手段は、前記外付けビューファインダが前記接続部に接続されたことを前記接続検知部が検知したとき、前記表示部を前記非収納位置に退出させないと判定することを特徴とする撮像装置。
【請求項４】
請求項１から３のいずれか一項に記載の撮像装置において、
水平方向と前記撮像装置の光軸の前後方向との間の傾斜角度を検出する傾斜角度検出手段をさらに備え、
前記判定手段は、前記傾斜角度が所定の第１の閾値以上のとき、前記表示部を前記非収納位置に退出させると判定することを特徴とする撮像装置。
【請求項５】
請求項１から４のいずれか一項に記載の撮像装置において、
前記撮像装置が鉛直方向に移動した移動量を検出する移動量検出手段をさらに備え、
前記判定手段は、前記移動量が所定の第２の閾値以上のとき、前記表示部を前記非収納位置に退出させると判定することを特徴とする撮像装置。
【請求項６】
請求項１から５のいずれか一項に記載の撮像装置において、
操作部材をさらに備え、
前記判定手段は、前記操作部材を用いて所定の操作が行われて前記表示部に画面を表示するとき、前記表示部を前記非収納位置に退出させると判定することを特徴とする撮像装置。
【請求項７】
請求項１から６のいずれか一項に記載の撮像装置において、
前記駆動手段は、
前記収納部に収納されている前記表示部を前記非収納位置に向けて付勢する付勢部と、
前記表示部が前記収納部に収納されている場合に前記判定手段が前記表示部を前記非収納位置に退出させないと判定しているとき前記表示部が前記非収納位置に駆動されないようにロックするロック部とを有することを特徴とする撮像装置。
【発明の詳細な説明】
【技術分野】
【０００１】
本発明は撮像装置に関する。
【背景技術】
【０００２】
バリアングル液晶などのような可動式の表示部を備える撮像装置が普及している。特許文献１には、可動式の表示部を備える撮像装置についての記載がある。このような可動式の表示部は、手動操作で位置や向きを調節される。
【先行技術文献】
【特許文献】
【０００３】
【特許文献１】特開２００５−８６２８３号公報
【発明の概要】
【発明が解決しようとする課題】
【０００４】
可動式の表示部を備える撮像装置では、可動式の表示部を常に手動で引き出す操作を可能とするため、指掛り部を設ける必要があり撮像装置のデザインに制約がある。そのため、撮像装置を、撮像装置の背面と面一または背面から凹み略平坦となるように可動式の表示部を収納するようにデザインすることができない。
【課題を解決するための手段】
【０００５】
本発明に係る撮像装置は、撮像装置の背面に凹設される収納部と、画像を表示し、撮像装置の背面と面一または撮像装置の背面から凹み略平坦となるように収納部の内側に収納され、収納部の内側に収納されたときの収納位置と収納部から退出したときの非収納位置との間を移動可能である表示部と、表示部が収納部に収納されているときに、表示部を非収納位置に退出させるか否かを判定する判定手段と、判定手段により表示部を非収納位置に退出させると判定されたときに収納位置から非収納位置へ向かって表示部を駆動する駆動手段と、を備えることを特徴とする。
【発明の効果】
【０００６】
本発明によれば、撮像装置の可動式表示部の収納に関して、デザインの自由度が増す。
【図面の簡単な説明】
【０００７】
【図１】本発明の一実施の形態による撮像装置の斜視図である。
【図２】本発明の一実施の形態による撮像装置に可動表示部が収納されているときの収納位置を示す概略断面図である。
【図３】本発明の一実施の形態による撮像装置のブロック構成図である。
【図４】可動表示部の状態検出について説明するための図である。
【図５】撮像装置の傾斜と移動について説明するための図である。
【図６】可動表示部の駆動制御処理に関するフローチャートの一例である。
【図７】可動表示部の駆動制御処理に関するフローチャートの一例である。
【図８】可動表示部の駆動制御処理に関するフローチャートの一例である。
【図９】可動表示部の駆動制御処理に関するフローチャートの一例である。
【図１０】本発明の実施の形態の一変形例に関する撮像装置の斜視図である。
【図１１】可動表示部の駆動制御処理の変形例に関するフローチャートの一例である。
【発明を実施するための形態】
【０００８】
本発明の一実施の形態による撮像装置について、デジタルカメラの例を用いて説明する。図１は、デジタルカメラの斜視図である。デジタルカメラ１は、可動式モニタ２と、可動式モニタ２を開閉および回転させる機構を有するヒンジユニット３と、操作部材４と、ＶＦ（Ｖｉｅｗｆｉｎｄｅｒ）接続部５とを備える。
【０００９】
可動式モニタ２は、バリアングル液晶であって、画像を表示する表示面を有する。可動式モニタ２は、図１（ｂ）に示されるデジタルカメラ１の背面１ａに凹設された収納部６に収納される。図１（ａ）の状態では、可動式モニタ２の表示面が収納部６の底面６ａに対向するように収納部６に収納されている。換言すると、可動式モニタ２の表示面の裏面を外側に向けて収納部６に収納されている。図１（ａ）の状態ではユーザは可動式モニタ２の表示面に表示された画像を見ることができない。
【００１０】
図１（ａ）の可動式モニタ２がヒンジユニット３の回転軸３ａを軸にして開方向に回転すると、図１（ｂ）の状態に展開される。図１（ｂ）の状態にある可動式モニタ２がヒンジユニット３の回転軸３ｂを軸にして略１８０°回転した後、さらに回転軸３ａを軸にして閉方向に回転して収納部６に収納されると、図１（ｃ）の状態となる。図１（ｃ）では、可動式モニタ２の裏面が底面６ａに対向するように収納部６に収納されている。換言すると、可動式モニタ２の表示面を外側に向けて収納部６に収納されている。図１（ｃ）の状態ではユーザは可動式モニタ２の表示面に表示された画像を見ることができる。
【００１１】
操作部材４は、ユーザがデジタルカメラ１に対して様々な入力操作を行うための入力装置であって、ボタンやスイッチ、レバー、ダイアル、タッチパネルなどを含む。図１（ａ）〜（ｃ）には、操作部材４の例として、電源ボタン４ａや、レリーズボタン４ｂ、可動式モニタ２にメニュー画面を表示させるためのメニューボタン４ｃ、撮像画像データを可動式モニタ２に再生表示させるための再生ボタン４ｄ、後述する可動式モニタ２のポップアップ駆動を行うためのポップアップボタン４ｅなどが図示されている。
【００１２】
ＶＦ接続部５は、外付けのビューファインダを接続（装着）するための部位であり、たとえばアクセサリシューである。デジタルカメラ１では、ＶＦ接続部５に接続された外付けビューファインダまたは可動式モニタ２をビューファインダとして利用することができる。
【００１３】
図１（ｂ）に示される収納部６には、モニタ駆動部７とモニタロック部８とを備える。モニタ駆動部７は、ばねで付勢されたボスであって、ボスの駆動軸のスラスト方向に可動式モニタ２を付勢する。モニタロック部８は、付勢された可動式モニタ２がデジタルカメラ１の背面側へ飛び出さないように可動式モニタ２と係合してまたは摩擦力で可動式モニタ２をロックする。モニタ駆動部７により付勢された可動式モニタ２は、モニタロック部８のロックが解除されたとき、回転軸３ａのラジアル方向に所定量駆動する。以降、この駆動のことをポップアップと称する。
【００１４】
図２は、デジタルカメラ１の概略断面図（図１（ｃ）のＡ−Ａ基準）であって、収納部６に収納されたときの可動式モニタ２の収納位置が図示されている。図２に例示されているように、収納位置にある可動式モニタ２は、その外面２ａがデジタルカメラ１の背面１ａと面一のデザインとなっている。外面２ａは、図１（ａ）の状態では可動式モニタ２の裏面であり、図１（ｃ）の状態では可動式モニタ２の表示面である。このデザインでは、可動式モニタ２がデジタルカメラ１の背面１ａから突出していないため、背面１ａに備わる操作部材４の操作性を阻害しない。しかし、この状態では、収納位置にある可動式モニタ２は、手動で回動させるために指を掛ける部位が存在せず、ユーザが可動式モニタ２を手動で図１（ｂ）のように引き出すことができない。なお、収納位置にある可動式モニタ２の外面２ａは、デジタルカメラ１の背面１ａから凹み略平坦なデザインとなるように構成してもよい。
【００１５】
そこで、デジタルカメラ１では、図１（ａ）のように可動式モニタ２が収納部６に収納されている場合に、可動式モニタ２を使用する際は、モニタ駆動部７により可動式モニタを付勢して非収納位置までポップアップさせる。このように収納位置にある可動式モニタ２に指を掛ける部位が存在しないようなデザインであっても、可動式モニタ２をポップアップすることにより手動で操作可能となる。
【００１６】
図３は、デジタルカメラ１のブロック構成図である。図３に示すブロック構成図には、可動式モニタ２と操作部材４とＶＦ接続部５とモニタ駆動部７とモニタロック部８と制御部９と撮像部１０と撮像光学系１１と撮像画像記録部１２とモニタ状態検出部１３とＶＦ検知部１４と傾斜情報検出部１５と移動情報検出部１６とが図示されている。
【００１７】
制御部９は、ＣＰＵやＲＡＭ、ＲＯＭなどで構成される。制御部９は、制御プログラムに基づいて、デジタルカメラ１を構成する各部から入力される信号を用いて所定の演算を行い、デジタルカメラ１の各部に向けて制御信号を送出する。
【００１８】
撮像部１０は、撮像素子や画像処理部などで構成される。撮像光学系１１は、ズームレンズやフォーカシングレンズを含む複数のレンズ群で構成される。撮像光学系１１により結像された被写体像は、撮像部１０により撮像される。撮像部１０が撮像した撮像画像は撮像画像記録部１２に記録される。なお、図３では説明を簡単にするため、撮像光学系１１は単レンズとして図示されている。撮像画像記録部１２に記録された撮像画像データは、ビューファインダへの画像表示などに用いられる。
【００１９】
モニタ状態検出部１３は、可動式モニタ２が図１（ａ）および図１（ｃ）のいずれの状態で収納部６に収納されているかを検出する。モニタ状態検出部１３は、たとえば図４に示される磁気センサ２１などで構成される。磁気センサ２１は、収納部６に設けられており、可動式モニタ２の内部に設けられた磁石２２と組み合わせて利用される。磁石２２は、可動式モニタ２が収納位置にあるとき磁気センサ２１と対向する。可動式モニタ２が回転軸３ｂを軸にした回転すると、磁石２２も可動式モニタ２の本体と共に回転する。この回転に伴い、図１（ａ）の状態で磁気センサ２１と対向したときと、図１（ｃ）の状態で磁気センサ２１と対向したときとで磁気センサ２１が検出する磁場の向きが異なる。制御部９は、モニタ状態検出部１３の磁気センサ２１が磁石２２による磁場を検出したら可動式モニタ２が収納位置にあると検出する。そして、制御部９は、磁気センサ２１により検出される磁場の向きの違いにより可動式モニタ２が図１（ａ）および図１（ｃ）のいずれの状態であるかを検出する。
【００２０】
ＶＦ検知部１４は、ＶＦ接続部５に外付けのビューファインダが接続されたことを検出する。制御部９は、ＶＦ検知部１４の出力信号に基づいて、外付けのビューファインダの有無を判断する。
【００２１】
傾斜情報検出部１５は、重力加速度を測定することにより、図５に示すデジタルカメラ１の光軸の前後方向と水平方向とが成す傾斜角度を検出する。傾斜情報検出部１５が検出する前後方向の傾斜角度は、ユーザがデジタルカメラ１をピッチング方向３１に回転させることにより変化する。移動情報検出部１６は、デジタルカメラ１の鉛直方向の移動量を検出する。傾斜情報検出部１５および移動情報検出部１６は、たとえば加速度センサにより実装される。
【００２２】
制御部９は、操作部材４や、モニタ状態検出部１３、ＶＦ検知部１４、傾斜情報検出部１５、移動情報検出部１６などからの出力信号に基づいて、モニタ駆動部７とモニタロック部８とを制御して、可動式モニタ２を駆動制御する。
【００２３】
たとえば、メニューボタン４ｃが操作されたことを表す操作信号が出力された場合に、可動式モニタ２が図１（ａ）の状態にあるときは、可動式モニタ２にメニュー画面等を表示するため、制御部９はモニタロック部８とモニタ駆動部７を制御して可動式モニタ２のロックを解除してポップアップさせる。
【００２４】
同様に、再生ボタン４ｄが操作されたことを表す操作信号が出力された場合に、可動式モニタ２が図１（ａ）の状態にあるときも、制御部９は可動式モニタ２に撮像画像等を表示するため、可動式モニタ２をポップアップさせる。
【００２５】
なお、ＶＦ検知部１４の出力により外付けビューファインダが接続されていることを検知した場合は、可動式モニタ２の代わりに外付けビューファインダを利用可能であるため、制御部９は可動式モニタ２の駆動制御を行わない。
【００２６】
また、デジタルカメラ１には、様々な撮像モードが存在する。たとえば、人物撮影に適したポートレートモード、風景写真の撮影に適した風景モード、撮影者自身を撮影する自分撮りモード、動き回る子供や動物を撮影するのに適したキッズモードやペットモードなどがある。これらの撮像モードの中には、可動式モニタ２が収納位置にあるとユーザが不便に感じるモードがある。たとえば、自分撮りモードのときは、デジタルカメラ１の撮像光学系１１と可動式モニタ２の表示面の両方を撮影者に向けていないとユーザは不便に感じる。また、キッズモードやペットモードのように低い位置にある被写体を狙うためにデジタルカメラ１をピッチング方向３１に傾けたり、鉛直方向に移動させたりする場合は、可動式モニタ２の表示面をユーザ側に向けていないと不便である。制御部９は、デジタルカメラ１がこれらの撮像モードに設定されているときは、可動式モニタ２をポップアップし、ユーザが可動式モニタ２を手動操作することができるようにする。
【００２７】
また、撮像モードがキッズモードやペットモードでなくても、デジタルカメラ１の傾斜角度が閾値以上であったり、鉛直方向に閾値以上移動したりする場合は、可動式モニタ２をポップアップする。なお、デジタルカメラ１が上記の状態となったときに可動式モニタ２の駆動制御を行うか否かは、ユーザが手動で設定することができる。
【００２８】
図６〜図９は、可動式モニタ２の駆動制御処理に関するフローチャートの一例である。例示される駆動制御処理は、デジタルカメラ１の電源がオンになったときに制御部９がその処理を開始する。デジタルカメラ１の電源は、たとえば、電源ボタン４ａが操作されることによりオンとなる。デジタルカメラ１の電源がオンになった直後は、可動式モニタ２は図１（ａ）のような状態、すなわち可動式モニタ２の表示面が収納部６の底面６ａに対向しているものとする。
【００２９】
ステップＳ１００では、制御部９は、モニタ状態検出部１３を制御して、可動式モニタ２の状態検出を行う。ステップＳ１０１では、制御部９は、ステップＳ１００で検出した可動式モニタ２の状態が図１（ａ）のように、表示面が収納部６の底面６ａに対向する状態で収納されているか否かを判定する。可動式モニタ２の状態が図１（ａ）の状態にあるときはステップＳ１０２に進み、図１（ａ）の状態にないとき（たとえば、図１（ｃ）の状態にあるとき）はステップＳ１０４に進む。
【００３０】
ステップＳ１０２では、制御部９は、ＶＦ検知部１４からの出力信号に基づいて、外付けビューファインダがＶＦ接続部５に接続されているか否かを判定する。外付けビューファインダがＶＦ接続部５に接続されている場合はステップＳ１０４に進み、接続されていない場合はステップＳ１０３に進む。
【００３１】
ステップＳ１０３では、制御部９はモニタロック部８を制御して、可動式モニタ２のロックを解除し、モニタ駆動部７により可動式モニタ２を付勢して、可動式モニタ２をポップアップする。
【００３２】
ステップＳ１０４では、制御部９は、操作部材４を介して、可動式モニタ２を使用する操作が行われたか否かを判定する。たとえば、メニューボタン４ｃ、再生ボタン４ｄ、レリーズボタン４ｄ、ポップアップボタン４ｅが操作されたか否かを判定する。ステップＳ１０４が肯定判定された場合はステップＳ１０５に進み、否定判定された場合は図７のステップＳ１１０に進む。
【００３３】
ステップＳ１０５では、制御部９は、ステップＳ１０４で行われた操作に対応した処理を実行する。たとえば、メニュー画面４ｃが操作された場合は可動式モニタ２にメニュー画面を表示し、再生ボタン４ｄが操作された場合は撮像画像記録部１２に記録された撮像画像データを可動式モニタ２へ再生出力する。ステップＳ１０４で行われた操作に対応した処理が実行された後、制御部９は、ステップＳ１００に処理を戻す。
【００３４】
図７のステップＳ１１０では、制御部９は、図６のステップＳ１００と同様に、可動式モニタ２の状態検出を行う。ステップＳ１１１では、制御部９は、図６のステップＳ１０１と同様に、ステップＳ１１０で検出した可動式モニタ２の状態が図１（ａ）のように、表示面が収納部６の底面６ａに対向する状態にあるか否かを判定する。に対向する状態にあるか否かを判定する。可動式モニタ２の状態が図１（ａ）の状態にあるときはステップＳ１１２に進み、図１（ａ）の状態にないとき（たとえば、図１（ｃ）の状態にあるとき）は図８のステップＳ１２０に進む。
【００３５】
図７のステップＳ１１２では、制御部９は、図６のステップＳ１０２と同様に、ＶＦ検知部１４からの出力信号に基づいて、外付けビューファインダがＶＦ接続部５に接続されているか否かを判定する。外付けビューファインダがＶＦ接続部５に接続されている場合は図８のステップＳ１２０に進み、接続されていない場合はステップＳ１１３に進む。
【００３６】
図７のステップＳ１１３では、制御部９は、デジタルカメラ１の電源をオフにし、図６〜図９の処理を終了する。
【００３７】
図８のステップＳ１２０では、制御部９は、デジタルカメラ１の撮像モードが自分撮りモードやキッズモード、ペットモードなど、可動式モニタ２が収納位置にある状態では不便な撮像モードか否かを判定する。デジタルカメラ１の撮像モードが自分撮りモードやキッズモード、ペットモードなどの場合はステップＳ１２１に進み、可動式モニタ２が図１（ｃ）のように収納位置にあってもユーザが不便に感じない撮像モードの場合は図９のステップＳ１３０に進む。
【００３８】
図８のステップＳ１２１では、制御部９は、図６のステップＳ１００と同様に、可動式モニタ２の状態検出を行う。ステップＳ１２２では、制御部９は、可動式モニタ２が収納位置（図１（ａ）または図１（ｃ））にあるか否かを判定する。可動式モニタ２が収納位置にあるときはステップＳ１２３に進み、収納位置にないときは図９のステップＳ１３０に進む。
【００３９】
図８のステップＳ１２３では、制御部９は、図６のステップＳ１０３と同様に、モニタロック部８を制御して可動式モニタ２のロックを解除し、モニタ駆動部７により可動式モニタ２を付勢して、可動式モニタ２をポップアップする。
【００４０】
ステップＳ１２４では、制御部９は、デジタルカメラ１の撮像モードに対応した処理、たとえば撮像部１０の設定や、撮像光学系１１の焦点調節などを行う。制御部９は、デジタルカメラ１の撮像モードに対応した処理を実行したら、図９のステップＳ１３０に進む。
【００４１】
図９のステップＳ１３０では、制御部９は、傾斜情報検出部１５を制御して、デジタルカメラ１の前後方向の傾斜角度を検出させる。ステップＳ１３１では、制御部９は、ステップＳ１３０で検出されたデジタルカメラ１の傾斜角度が所定の閾値以上か否かを判定する。デジタルカメラ１の傾斜角度が所定の閾値以上である場合はステップＳ１３２に進み、傾斜角度が所定の閾値未満の場合はステップＳ１３５に進む。
【００４２】
ステップＳ１３２では、制御部９は、図６のステップＳ１００と同様に、可動式モニタ２の状態検出を行う。ステップＳ１３３では、制御部９は、図８のステップＳ１２２と同様に、可動式モニタ２が収納位置にあるか否かを判定する。可動式モニタ２が収納位置にあるときはステップＳ１３４に進み、収納位置にないときはステップＳ１３５に進む。
【００４３】
ステップＳ１３４では、制御部９は、図６のステップＳ１０３と同様に、モニタロック部８を制御して可動式モニタ２のロックを解除し、モニタ駆動部７により可動式モニタ２を付勢して、可動式モニタ２をポップアップする。制御部９は、可動式モニタのポップアップが終了したらステップＳ１３５に進む。
【００４４】
ステップＳ１３５では、制御部９は、移動情報検出部１６を制御して、デジタルカメラ１の鉛直方向の移動量を検出する。ステップＳ１３６では、制御部９は、ステップＳ１３５で検出されたデジタルカメラ１の鉛直方向の移動量が所定の閾値以上か否かを判定する。デジタルカメラ１の移動量が所定の閾値以上である場合はステップＳ１３７に進み、デジタルカメラ１の移動量が所定の閾値未満の場合は図６のステップＳ１０４に進む。
【００４５】
なお、ステップＳ１３０での傾斜角度の検出とステップＳ１３５での移動量の検出は、図６〜図９のフローチャートに基づいて繰り返し行われ、前回以前に検出された検出結果データを制御部９内のメモリに一時記憶している。ステップＳ１３１およびステップＳ１３６の判定は、制御部９内のメモリに一時記憶された検出結果データを基に行われる。検出結果データは、可動式モニタ２を収納部６がポップアップしたときなどに消去される。
【００４６】
ステップＳ１３７では、制御部９は、図６のステップＳ１００と同様に、可動式モニタ２の状態検出を行う。ステップＳ１３８では、制御部９は、図８のステップＳ１２２と同様に、可動式モニタ２が収納位置にあるか否かを判定する。可動式モニタ２が収納位置にあるときはステップＳ１３９に進み、収納位置にないときは図６のステップＳ１０４に進む。ステップＳ１３９では、制御部９は、図６のステップＳ１０３と同様に、モニタロック部８を制御して可動式モニタ２のロックを解除し、モニタ駆動部７により可動式モニタ２を付勢して、可動式モニタ２をポップアップする。制御部９は、可動式モニタのポップアップが終了したら図６のステップＳ１０４に進む。
【００４７】
以上で説明した実施の形態によれば、以下の作用効果が得られる。
デジタルカメラ１の背面１ａには収納部６が凹設されており（図１（ｂ））、可動式モニタ２の外面２ａがデジタルカメラ１の背面１ａと面一または背面１ａから凹み略平坦となるように収納部６の内側に収納されている（図２）。可動式モニタ２は、図１（ａ）および（ｃ）に示された収納位置と収納部６から退出したときの非収納位置との間を移動可能である。制御部９は、可動式モニタ２が収納部６に収納されているときに、可動式モニタ２をポップアップさせるか否かを判定する（ステップＳ１０１，Ｓ１０２，Ｓ１１１，Ｓ１１２，Ｓ１２０，Ｓ１２２，Ｓ１３１，Ｓ１３３，Ｓ１３６，およびＳ１３８）。モニタ駆動部７は、制御部９が可動式モニタ２をポップアップさせると判定したときに収納位置から非収納位置へ向かって可動式モニタ２を付勢して駆動させる。このように、可動式モニタ２をポップアップさせることにより、可動式モニタ２が手動で引き出し不可能な状態で収納部６に収納されるようなデザインが可能となる。その結果、デジタルカメラ１のデザインの自由度が増す。
【００４８】
以上で説明した各実施の形態は、以下のように変形して実施できる。
（変形例１）上記の実施の形態では、ビューファインダを備えていないデジタルカメラ１を用いて説明を行ったが、図１０に示されるビューファインダ１７を備えるデジタルカメラ５１にも本発明を適用可能である。図１０に図示されたデジタルカメラ５１は、可動式モニタ２をビューファインダとしてさらに利用するか否かの切り替えボタン４ｆを操作部材４に含む。図１０に図示されたビューファインダ１７を備えるデジタルカメラ５１の場合は、図６および図７に示された処理は図１１のように変形される。図１１では、デジタルカメラ５１はビューファインダ１７を備えているため、ステップＳ１０２の処理を実行しない。
【００４９】
（変形例２）上記の実施の形態では、モニタ駆動部７は、可動式モニタ２を収納位置から非収納位置に向けて付勢して、回転軸３ａのラジアル方向に可動式モニタ２を所定量駆動させた。モニタ駆動部７は、回転軸３ｂのラジアル方向に可動式モニタ２を回転させる機構をさらに有してもよい。モニタ駆動部７が回転軸３ｂのラジアル方向に可動式モニタ２を回転させられる場合、ステップＳ１２３のポップアップを実行する際に回転軸３ｂのラジアル方向に可動式モニタ２を回転させることが望ましい。たとえば、自分撮りモードのときは、図１（ｂ）の状態まで回転軸３ａのラジアル方向に駆動した後に可動式モニタ２の表示面が撮像光学系１１と同じ方向になるように回転軸３ｂのラジアル方向に略１８０°回転させる。また、傾斜情報検出部１５や移動情報検出部１６が検出した結果に基づいて可動式モニタ２をポップアップするときも、検出された傾斜角度や移動量に基づいた角度だけ可動式モニタを回転軸３ｂのラジアル方向に回転させる。
【００５０】
以上で説明した実施の形態や変形例はあくまで一例であり、発明の特徴が損なわれない限り本発明はこれらの内容に限定されない。また、以上で説明した実施の形態や変形例は発明の特徴が損なわれない限り組み合わせて実行してもよい。
【符号の説明】
【００５１】
１  デジタルカメラ
２  可動式モニタ
３  ヒンジユニット
４  操作部材
５  ＶＦ接続部
６  収納部
７  モニタ駆動部
８  モニタロック部
９  制御部
１３  モニタ状態検出部
１４  ＶＦ検知部
１５  傾斜情報検出部
１６  移動情報検出部
【図１】
2013141158.tif 000003
【図２】
2013141158.tif 000004
【図３】
2013141158.tif 000005
【図４】
2013141158.tif 000006
【図５】
2013141158.tif 000007
【図６】
2013141158.tif 000008
【図７】
2013141158.tif 000009
【図８】
2013141158.tif 000010
【図９】
2013141158.tif 000011
【図１０】
2013141158.tif 000012
【図１１】
2013141158.tif 000013